(57)【要約】【課題】ウインチ装置で巻き上げられたワイヤーを地面にばらまくことなく容器内に収納するワイヤー収納装置を提供する。【解決手段】ワイヤーを収納する上部が開放された筒状の容器３と、該容器３の中央部上方から上端部を支点として揺動可能に垂下され、下端部が容器３内に位置する揺動管路５と、ウインチ装置との連結部２９から内部に挿通されるワイヤーを揺動管路５に案内する案内管路７とを備えた構成とする。このような構成とすれば、揺動管路の下端部から排出されてきたワイヤーが、容器の内面に押しつけられることにより、揺動管路が上端部を支点として揺動する。揺動管路が揺動することによって容器内に排出されたワイヤーは、ワイヤーの曲がりの癖や変形などによって移動しようとしても、ワイヤーは容器の側壁内面に押しつけられるだけであり、ワイヤーが上方に持ち上がって容器の外へ出るようなことはなく、ワイヤーは容器内に収納される。【選択図】        図１
2004238115.tif 000002
【特許請求の範囲】
【請求項１】
ワイヤーを収納する上部が開放された筒状の容器と、該容器の中央部上方から上端部を支点として揺動可能に垂下され、下端部が前記容器内に位置する揺動管路と、ウインチ装置との連結部から内部に挿通されるワイヤーを前記揺動管路に案内する案内管路とを備えたワイヤー収納装置。
【請求項２】
前記案内管路は、湾曲可能な湾曲可能部を有していることを特徴とする請求項１に記載のワイヤー収納装置。
【請求項３】
前記揺動管路は、一端から他端にかけてスリットが形成された内管と、該内管のスリットを覆う外管とを有し、前記案内管路は、直管状の管体部と、湾曲可能な湾曲可能部とで形成され、前記案内管路の管体部は、一端から他端にかけてスリットが形成された内管と、該内管のスリットを覆う外管とを有し、前記湾曲可能部は、コイル状の部材で形成されたことを特徴とする請求項１に記載のワイヤー収納装置。
【発明の詳細な説明】
【０００１】
【発明の属する技術分野】
本発明は、ワイヤー収納装置に係り、特に、送電鉄塔に懸架された電線の弛度調整や送電鉄塔での荷吊りなどに使用されるワイヤーの収納に好適なワイヤー収納装置に関する。
【０００２】
【従来の技術】
２本の送電鉄塔間に延線され、張り渡された送電線の弛み具合の調整、すなわち弛度調整では、緊線ワイヤーと称する金属製のワイヤーが用いられている。緊線ワイヤーは、弛度調整において、一端部が送電線の送電鉄塔近傍部分に連結され、その送電鉄塔に固定された金車などを介してウインチ装置で巻き上げられる。これにより、２本の送電鉄塔間に懸架された送電線が緊線ワイヤーによって送電鉄塔方向に引っ張られることによって、送電線の弛み具合を調整している。また、送電鉄塔の組み立てなどにおいて、送電鉄塔上に送電鉄塔を構成する部材や碍子などを吊り上げる場合などにも、金属製の荷吊り用のワイヤーが用いられている。この荷吊り用のワイヤーも緊線ワイヤーと同様に、送電鉄塔に固定された金車などを介してウインチ装置で巻き上げられ、これにより、送電鉄塔上に送電鉄塔を構成する部材や碍子などを吊り上げている。
【０００３】
このように弛度調整や荷吊りといった作業などでは、ワイヤーをウインチ装置で巻き上げている。このとき、ウインチ装置で巻き上げられたワイヤーは、ウインチ装置から地面に排出されるが、ワイヤーのよりなどのために生じるワイヤーの曲がりの癖や変形などによって、不規則な曲線などを描きながら地面にばらまかれ、地面に拡がった状態で置かれている。
【０００４】
【発明が解決しようとする課題】
ところで、弛度調整や荷吊りといった作業などに用いられるワイヤーは、送電鉄塔の高さなどに応じて、例えば数百メートといったような長さを有しており、この数百メートル分のワイヤーが地面にばらまかれ、地面に拡がった状態となる。このため、弛度調整や荷吊りといった作業などを行うとき、ワイヤーを置けるだけの広さの作業場所が必要になる。また、ワイヤーが地面にばらまかれた状態で置かれることから、これらの作業場所ではワイヤーが足に引っかかるなどの問題が生じている。さらに、作業後には、地面にばらまかれたワイヤーを円形に巻いて束ねる作業や、地面に置かれて汚れたワイヤーの汚れを除去する作業などが必要となっている。したがって、ウインチ装置で巻き上げられたワイヤーを地面にばらまくことなく容器内に収納できるワイヤー収納装置が必要とされている。
【０００５】
本発明の課題は、ウインチ装置で巻き上げられたワイヤーを地面にばらまくことなく容器内に収納することにある。
【０００６】
【課題を解決するための手段】
本発明のワイヤー収納装置は、ワイヤーを収納する上部が開放された筒状の容器と、この容器の中央部上方から上端部を支点として揺動可能に垂下され、下端部が容器内に位置する揺動管路と、ウインチ装置との連結部から内部に挿通されるワイヤーを揺動管路に案内する案内管路とを備えた構成とすることにより上記課題を解決する。
【０００７】
このような構成とすれば、案内管路のウインチ装置のワイヤーが排出されてくる部分に連結された連結部から挿入されてくるワイヤーは、案内管路から揺動管路を通り、揺動管路の下端部から容器内に排出される。このとき、揺動管路の下端部から排出されてきたワイヤーが、容器の内面に押しつけられることにより、ワイヤーの曲がりの癖や変形などによって生じた力が揺動管路を、揺動管路の上端部を支点として揺動させる。揺動管路が揺動することによって容器内に排出されたワイヤーは、ワイヤーの曲がりの癖や変形などによって移動しようとしても、その移動方向は、容器の周縁部に向かう移動となり、ワイヤーは容器の側壁内面に押しつけられ、移動が規制される。したがって、ワイヤーが上方に持ち上がって容器の外へ出るようなことはなく、ワイヤーを容器内に収納できる。したがって、ウインチ装置で巻き上げられたワイヤーを地面にばらまくことなく容器内に収納できる。
【０００８】
また、容器内にワイヤーをより確実に収納する上で、容器は、８角形以上の多角形の筒状である構成が望ましく、円筒状である構成がさらに望ましい。さらに、容器は、網状の部材で形成されている構成で有れば、装置を軽量化できる。
【０００９】
また、案内管路は、湾曲可能な湾曲可能部を有している構成とすれば、ウインチ装置に対するワイヤー収納装置の設置位置の制限を低減できる。
【００１０】
さらに、揺動管路は、一端から他端にかけてスリットが形成された内管と、この内管のスリットを覆う外管とを有し、案内管路は、直管状の管体部と、湾曲可能な湾曲可能部とで形成され、案内管路の管体部は、一端から他端にかけてスリットが形成された内管と、この内管のスリットを覆う外管とを有し、湾曲可能部は、コイル状の部材で形成された構成とする。このような構成とすれば、内管に設けられたスリットから揺動管路内にワイヤーを挿入でき、さらに、案内管路の管体部の内管に設けられたスリットと、コイル状の部材で形成された湾曲可能部から案内管路内にワイヤーを挿入できる。このため、ワイヤーの端部から案内管路や揺動管路にワイヤーを挿入しなくても、ワイヤーの端部以外の部分から案内管路や揺動管路にワイヤーをセットすることができる。
【００１１】
また、揺動管路の外管及び案内管路の外管は、一端から他端にかけてスリットが形成された構成とすれば、内管と外管を相対的に回転させることで揺動管路及び案内管路の内管内にスリットからワイヤーを挿入可能な状態にしたり、内管のスリットを覆った状態にできる。
【００１２】
さらに、揺動管路には、下端部に他の部分よりも大きな径を有する先端リングが設けられている構成とする。また、容器が網状の部材で形成されており、揺動管路には、下端部にこの下端部の中心軸を回転軸として回転可能な先端リングが設けられている構成とする。これらの構成とすれば、容器が網状の部材で形成されている場合など、揺動管路の下端部が容器の側壁内面に接触した際に揺動管路が動き難くなるのを防ぐことができる。
【００１３】
【発明の実施の形態】
以下、本発明を適用してなるワイヤー収納装置の一実施形態について図１乃至図３を参照して説明する。図１は、本発明を適用してなるワイヤー収納装置の概略構成を示す正面図である。図２及び図３は、本発明を適用してなるワイヤー収納装置をウインチ装置に連結してワイヤーを容器内に収納している状態を示す模式図である。
【００１４】
本実施形態のワイヤー収納装置１は、図１に示すように、ワイヤーを収納する容器３、容器３の中央部上方から揺動可能に垂下された揺動管路５、ウインチ装置から送り出されてくるワイヤーを揺動管路５に案内する案内管路７などで構成されている。容器３は、鋼製の線材などを用いて形成した上面が開放された円筒形のバスケット状であり、側壁や底は網状になっている。容器３の側壁の外側には、鋼管などで形成された逆Ｌ字状の支柱９が固定されている。
【００１５】
支柱９は、鋼管やアルミニウム製の管などで形成されている。容器３の側壁を形成している線材の外側に支柱９の内径に対応する径を有する図示していない棒材が縦方向に延在した状態で溶接されており、この図示していない棒材を支柱９の長い方の棒状部分９ａに挿入し図示していないボルトで固定することで、支柱９は容器３に取り付けられている。したがって、支柱９は、容器３に着脱可能になっており、ワイヤー収納装置１を持ち運び易くしている。支柱９の長い方の棒状部分９ａから直角に曲げられ、水平方向に延在する短い方の棒状部分９ｂは、円筒状の容器３の外周から容器３の中心に向かって、つまり円筒状の容器３の半径方向に沿って延在している。この短い方の棒状部分９ｂの端部は、円筒状の容器３の中央部分上方に位置している。
【００１６】
支柱９の短い方の棒状部分９ｂの端部には、案内管路７の一方の端部であり、案内管路７からのワイヤーの出口となる鋼製のリング状の部材であるリング部１０が、開口を上下方向に向けた状態で溶接により固定されている。リング部１０の外周面には、対向する位置にリング状に形成された部分を有するアイボルト１１が取り付けられている。リング部１０に取り付けられた２つのアイボルト１１には、各々、揺動管路５を揺動可能に垂下した状態で支持するための吊りワイヤー１３の一端部が取り付けられている。吊りワイヤ１３の他端部は、揺動管路５の上端部に取り付けられている。
【００１７】
揺動管路５は、両端が開口した直管状の内管５ａを、内管５ａの外径とほぼ同じ内径を有する両端が開口した直管状の外管５ｂに挿入した状態となっている。つまり、揺動管路５は、直管状の内管５ａの外側を、外管５ｂが覆った状態となっている。内管５ａは、内部を移動するワイヤーとの摩擦で削れないように鋼管を用いており、外管５ｂは、軽量化のためアルミニウム製の管を用いている。内管５ａ及び外管５ｂには、各々、一端から他端にかけて帯状の空隙、すなわちスリット１５が形成されている。内管５ａと外管５ｂのスリット１５の幅は、ほぼ同じ幅で形成されている。
【００１８】
外管５ｂは、内管５ａよりも短く、揺動管路５の上端部では、外管５ｂから内管５ａが突出した状態となっている。この内管５ａの外管５ｂから突出した部分の外面の対向する位置には、アイボルト１１が取り付けられている。揺動管路５は、内管５ａに取り付けられたアイボルト１１、つまり揺動管路５の上端部に取り付けられたアイボルト１１に、リング部１０に取り付けられたアイボルト１１に一端部が吊された吊りワイヤー１３の他端部が取り付けられることで、容器３の中央部分上方から容器３内に向けて揺動可能に垂下された状態となっている。
【００１９】
一方、揺動管路５の下端部でも、外管５ｂから内管５ａが突出した状態となっているが、内管５ａの外管５ｂから突出した部分には、外管５ｂの外径よりも外径が大きい先端リング１７が取り付けられている。したがって、揺動管路５の下端部は、先端リング１７が取り付けられ、先端リング１７部分の外径が他の部分の外径よりも大きくなった状態となっている。揺動管路５の長さは、リング部１０の高さとの兼ね合いで、リング部１０から真っ直ぐに垂下されたとき、先端リング１７が取り付けられた揺動管路５の下端部が容器３内に位置し、さらに、揺動管路５が揺れ動いて傾いたとき、容器３の側壁の中央部と上縁部との間の部分に当接する長さとしている。
【００２０】
なお、揺動管路５は、内管５ａと外管５ｂとを相対的に回転させることで、内管５ａのスリット１５と外管５ｂのスリット１５の位置が一致したとき、揺動管路５にスリットが形成された状態となる。また、内管５ａのスリット１５と外管５ｂのスリット１５の位置をずらせば、内管５ａの外管５ｂから突出した部分以外の部分のスリット１５が外管５ｂで覆われ、揺動管路５のスリットを塞いだ状態となる。
【００２１】
案内管路７は、支柱９の水平方向に延在する短い方の棒状部分９ｂの端部に固定されたリング部１０、リング部１０に連結されたコイル状の部材からなる第１湾曲可能部１９、第１湾曲可能部１９に連結された直管状の第１管体部２１、第１管体部２１に連結されたコイル状の部材からなる第２湾曲可能部２３、第２湾曲可能部２３に連結された直管状の第２管体部２５、第２管体部２５に連結されたコイル状の部材からなる第３湾曲可能部２７、そして第３湾曲可能部２７に連結され、ウインチ装置に連結するための連結部２９などで形成されている。
【００２２】
案内管路７の第１管体部２１は、両端が開口した直管状の内管２１ａを、内管２１ａの外径とほぼ同じ内径を有する両端が開口した直管状の外管２１ｂに挿入した状態となっている。つまり、案内管路７の第１管体部２１も、揺動管路５と同様に、直管状の内管２１ａの外側を、外管２１ｂが覆った状態となっている。内管２１ａは、内部を移動するワイヤーとの摩擦で削れないように鋼管を用いており、外管２１ｂは、軽量化のためアルミニウム製の管を用いている。内管２１ａ及び外管２１ｂには、各々、一端から他端にかけて帯状の空隙、すなわちスリット３１が形成されている。内管２１ａと外管２１ｂのスリット３１の幅は、ほぼ同じ幅で形成されている。外管２１ｂは、内管２１ａよりも短く、第１管体部２１の両端部で、外管２１ｂから内管２１ａが突出した状態となっている。
【００２３】
第１管体部２１の内管２１ａは、中央部分が支柱９の短い方の棒状部分９ｂと長い方の棒状部分９ａとの角部外側に溶接され固定されている。したがって、案内管路７のリング部１０と同様に、案内管路７の第１管体部２１も支柱９に固定され支持されている。なお、第１管体部２１は、支柱９の短い方の棒状部分９ｂ及び長い方の棒状部分９ａの各々ととなす角度が４５度で支柱９に固定されている。第１管体部２１の内管２１ａの外管２１ｂから突出した部分の外面には、第１管体部２１の両端部に第１湾曲可能部１９や第２湾曲可能部２３などを連結するため、また、内管２１ａと外管２１ｂとを相対的に回転させるときの取っ手とするためなどの目的で適宜アイボルト１１が取り付けられている。同様に、外管２１ｂの外面にも内管２１ａと外管２１ｂとを相対的に回転させるときの取っ手とするためなどの目的で適宜アイボルト１１が取り付けられている。
【００２４】
なお、案内管路７の第１管体部２１は、揺動管路５と同様に、内管２１ａと外管２１ｂとを相対的に回転させることで、内管２１ａのスリット３１と外管２１ｂのスリット３１の位置が一致したとき、第１管体部２１にスリットが形成された状態となる。また、内管２１ａのスリット３１と外管２１ｂのスリット３１の位置をずらせば、内管２１ａの外管２１ｂから突出した部分以外の部分のスリット３１が外管２１ｂで覆われ、第１管体部２１のスリットを塞いだ状態となる。このとき、内管２１ａの中央部分が支柱９に固定されていることから、外管２１ｂを回転させたときに、外管２１ｂが支柱９に干渉しないよう、外管２１ｂは、外管２１の中央部の一部が欠き取られた形状となっている。
【００２５】
案内管路７の第２管体部２５も、第１管体部２１と同様に、両端が開口した直管状の内管２５ａを、内管２５ａの外径とほぼ同じ内径を有する両端が開口した直管状の外管２５ｂに挿入した状態となっている。内管２５ａは、内部を移動するワイヤーとの摩擦で削れないように鋼管を用いており、外管２５ｂは、軽量化のためアルミニウム製の管を用いている。内管２５ａ及び外管２５ｂには、各々、一端から他端にかけて帯状の空隙、すなわちスリット３３が形成されている。内管２５ａと外管２５ｂのスリット３３の幅は、ほぼ同じ幅で形成されている。外管２５ｂは、内管２５ａよりも短く、第２管体部２５の両端部で、外管２５ｂから内管２５ａが突出した状態となっている。第２管体部２５の内管２５ａの外管２５ｂから突出した部分の外面には、第２管体部２５の両端部に第２湾曲可能部２３や第３湾曲可能部２７などを連結するため、また、内管２５ａと外管２５ｂとを相対的に回転させるときの取っ手とするためなどの目的で適宜アイボルト１１が取り付けられている。
【００２６】
なお、案内管路７の第２管体部２５も、第１管体部２１と同様に、内管２５ａと外管２５ｂとを相対的に回転させることで、内管２５ａのスリット３３と外管２５ｂのスリット３３の位置が一致したとき、第２管体部２５にスリットが形成された状態となる。また、内管２５ａのスリット３３と外管２５ｂのスリット３３の位置をずらせば、内管２５ａの外管２５ｂから突出した部分以外の部分のスリット３３が外管２５ｂで覆われ、第２管体部２５のスリットを塞いだ状態となる。
【００２７】
連結部２９は、ウインチ装置側の連結部分の形状に対応する形状の鋼製のリング状の部材であり、連結するウインチ装置の種類などに応じて交換可能になっている。連結部２９にも、一端から他端にかけて帯状の空隙、すなわちスリット３５が形成されている。同様に、リング部１０にも、一端から他端にかけて帯状の空隙、すなわちスリット３７が形成されている。
【００２８】
第１湾曲可能部１９、第２湾曲可能部２３、第３湾曲可能部２７は、各々、湾曲または曲折可能なステンレス製のコイルを用いている。第１湾曲可能部１９は、第１管体部２１により斜め上方に上昇してきたワイヤーをリング部１０に向けて下降する方向に方向転換させるための案内管路７の曲折部分となっており、ワイヤー収納装置１の最上部に位置している。第２湾曲可能部２３及び第３湾曲可能部２７は、所望の方向に自在に曲げることができるため、案内管路７は、第２湾曲可能部２３及び第３湾曲可能部２７で所望の方向に曲げて配管できる。第１湾曲可能部１９、第２湾曲可能部２３、第３湾曲可能部２７を形成するコイルのピッチは、第１湾曲可能部１９、第２湾曲可能部２３、第３湾曲可能部２７を最も曲げた状態にしたときに、収納するワイヤーが、コイルの隙間からはみ出さない長さを選択している。
【００２９】
なお、本実施形態では、ワイヤー収納装置１の高さ、すなわち第１湾曲可能部１９の上面までの高さは、１５０〜１７０ｃｍ程度、揺動管路５の長さは９０〜９５ｃｍ程度である。また、容器３の直径は、揺動管路５の長さは９０〜９５ｃｍ程度であるのに対して、７０ｃｍ〜８０ｃｍ程度としている。これらの寸法は、適宜変更できるが、揺動管路５から容器３に排出されるワイヤーが容器３の上面から外に出ないように揺動管路５の長さと容器３の直径とを考慮する必要がある。
【００３０】
また、本実施形態のワイヤー収納装置１では、軽量化のため容器３の網目をできるだけ大きくしていることから、ワイヤーが容器３の網目から外にはみ出るのを防ぎ、また、揺動管路５の下端部が容器３の網目に引っかかり揺動管路５の動きが制約されないように、容器３の側壁の内側に、容器３の網目よりも目が小さな網目を有する網状部材、例えばトリカルネットなどを取り付けて用いる。一方、容器３内に直接ワイヤーを収納せず、容器３内に収容可能で、容器３の網目よりも目が小さな網目を有するかごを容器３内に入れ、このかご内にワイヤーを収納することもできる。このように、容器３内に直接ワイヤーを収納せず、容器３に内挿したかご内にワイヤーを収納することで、かご内にワイヤーを収納した状態で、ワイヤーの保管及び再使用が可能となる。
【００３１】
また、先端リング１７は、容器３などの網目に揺動管路５の下端部が引っかかるなどして揺動管路５の揺動が妨げられるのを防ぐためのものである。このため、先端リング１７の外径は、容器３内に直接ワイヤーを収納する場合は、容器３の網目の大きさに、または、容器３の側壁内面に網状部材を取り付ける場合や、容器３内にかごを内挿する場合は、その網状部材やかごの網目の大きさに応じて決定している。
【００３２】
このような構成のワイヤー収納装置１の動作と本発明の特徴部について説明する。なお、本実施形態のワイヤー収納装置１では、図２及び図３に示すように、容器３の側壁内面に容器３の網目よりも小さな網目を有する網状部材３８を取り付けている。網状部材３８としては、例えば、合成樹脂製のトリカルネットなどを用いれば軽量で取り扱いが容易である。
【００３３】
ここで、ワイヤー収納装置１は、ウインチ装置に連結して用いるものであるが、ワイヤー収納装置１を連結するウインチ装置は、例えばウインチ装置３９のようにクローラ４１を備え、自走可能である。エンジンルーム４３の側面、つまりクローラ４１の上方には、ワイヤー４５が巻き付けられ、回転することによりワイヤー４５を巻き上げるキャプスタン４７を有している。また、エンジンルーム４３の側面のキャプスタン４７近傍には、キャプスタン４７に巻き付けられたワイヤー４７に張りを持たせると共に、キャプスタン４７で巻き上げられたワイヤー４５をワイヤー４５の移動方向に対して下流側に押し出す自動尻手取装置４９などを備えている。
【００３４】
ワイヤー収納装置１の案内管路７の一端側に設けられた連結部２９は、ウインチ装置３９の自動尻手取装置４９に設けられたワイヤー４５の排出口部分４９ａに連結される。ワイヤー４５は、ワイヤー４５の先端を案内管路７の連結部２９から挿入し、案内管路７の第３湾曲可能部２７、第２管体部２５、第２湾曲可能部２３、第１管体部２１、第１湾曲可能部１９、そして、リング部１０の順に挿通させて行き、さらに、揺動管路５の上端部から下端部に挿通させることで、ワイヤー４５をワイヤー収納装置１にセットする。
【００３５】
さらに、本実施形態のワイヤー収納装置１では、図１に示すように、案内管路７のリング部１０、第１管体部２１、第２管体部２５、そして、連結部２９、さらに、揺動管路５が、各々、スリットを有しており、また、案内管路７の第３湾曲可能部２７、第２湾曲可能部２３、そして、第１湾曲可能部１９がコイル状の部材で形成されていることから、ワイヤー４５を先端部分以外の部分から各管路５、７内に挿入し、セットすることができる。すなわち、本実施形態のワイヤー収納装置１は、案内管路７の連結部２９、第２管体部２５、第１湾曲可能部１９、リング部１０、そして、揺動管路５では、スリットから内側にワイヤー４５を入れ、また、案内管路７の第３湾曲可能部２７、第２湾曲可能部２３、そして、第１湾曲可能部１９では、コイルの隙間にワイヤー４５を巻き付けるように入れ込むことで案内管路７及び揺動管路５内にワイヤー４５をセットすることができる。
【００３６】
ワイヤー収納装置１の揺動管路５及び案内管路７内にワイヤー４５をセットした後、図１乃至図３に示すように、揺動管路５の内管５ａと外管５ｂとを相対的に回転させ、内管５ａに形成されたスリット１５を塞ぐ。同様に、案内管路７の第１管体部２１及び第２管体部２５の内管２１ａ、２５ａと外管２１ｂ、２５ｂとを各々相対的に回転させ、内管２１ａ、２５ａに形成されたスリット３１、３３を塞ぐ。図１では、揺動管路５の内管５ａと外管５ｂのスリット１５の位置を、そして、案内管路７の第１管体部２１及び第２管体部２５の内管２１ａ、２５ａと外管２１ｂ、２５ｂのスリット３１、３３の位置を一致させた状態を示している。図２及び図３では、揺動管路５の内管５ａに形成されたスリット１５を、そして、案内管路７の第１管体部２１及び第２管体部２５の内管２１ａ、２５ａに形成されたスリット３１、３３を塞いだ状態を示している。
【００３７】
この状態でウインチ装置３９を駆動すると、ワイヤー４５は、図２に示すように、ウインチ装置３９のキャプスタン４７の回転によって巻き上げられると共に、ウインチ装置３９の尻手取装置４９によって、ワイヤー収納装置１の案内管路７内に案内管路７の連結部２９から送り込まれる。ワイヤー収納装置１の案内管路７内に送り込まれたワイヤー４５は、案内管路７から揺動管路５を流れ、揺動管路５の下端部の開口から容器３内に排出される。
【００３８】
ところで、ウインチ装置から排出されてくるワイヤーを地面に排出する場合、ワイヤーのよりなどのために生じるワイヤーの曲がりの癖や変形などによって、不規則に曲線などを描きながら地面にばらまかれていた。このようなワイヤーを単に容器内に収納しようとすると、ワイヤーが自由に地面にばらまかれた状態となれないことから、ワイヤーのよりなどのために生じる曲がりの癖や変形などによって、ワイヤーが上方に持ち上がり容器の外に出てしまうといったように、うまく容器内にワイヤーを収納することができない。
【００３９】
これに対して、ワイヤー収納装置１では、揺動管路５が、案内管路７のリング部１０から吊りワイヤー１３で吊り下げられている。このため、揺動管路５の下端部から排出されたワイヤー４５が、容器３の内面に当接し押しつけられると、ワイヤー４５の曲がりの癖や変形などによって、自由な状態でワイヤー４５が曲がろうとする方向と逆方向の力が揺動管路５に作用し、この力によって揺動管路５が吊りワイヤー１３が取り付けられた上端部を支点として揺動する。揺動する際、揺動管路５は、ワイヤー４５の曲がりの癖や変形などによって生じる力によって、下端部に設けられた先端リング１７が、容器３の側壁内面に当接したり離れたりしながら、基本的に、容器３の側壁内面に沿って先端リング１７つまり下端部が円を描くように動く。また、ワイヤー４５から受ける力の方向によっては、揺動管路５の下端部が、容器３内で８の字を描くように動く場合もある。
【００４０】
このように、揺動管路５の下端部から排出されたワイヤー４５が、容器３の内面に押しつけられることによってワイヤー４５の曲がりの癖や変形などから生じた力が揺動管路５を揺動させ、この揺動管路５の揺動によりワイヤー４５が、容器３内に円や８の字を描きながら収納される。さらに、容器３内に収納されたワイヤー４５に、ワイヤー４５の曲がりの癖や変形などによって動こうとする力が生じても、その力は、ほとんど水平面内で容器３の周縁に向かう方向の力となるため、ワイヤー４５は、容器３の側壁内面などに押しつけられるだけであり、上方に持ち上がった状態などになり難く、ワイヤー４５が容器３の外に出てしまうことはない。
【００４１】
このように、本実施形態のワイヤー収納装置１では、容器３の中央部分上方から揺動管路５がこの揺動管路５の上端部を支点として揺動可能に垂下されており、上方ウインチ装置３９で巻き上げられ排出されてくるワイヤー４５を、案内管路７が揺動管路５の上端部に案内している。そして、揺動管路５の下端部からワイヤー４５が、このワイヤー４５を収納する容器３内に排出されるとき、揺動管路５の下端部から排出されてきたワイヤー４５が、容器３の内面に押しつけられることにより、ワイヤー４５の曲がりの癖や変形などによって生じた力が揺動管路５を、上端部を支点として揺動させる。揺動管路５が揺動することによって容器３内に排出されて行くワイヤー４５は、容器３の外へはみ出すことなく容器３内に収納される。したがって、ウインチ装置で巻き上げられたワイヤーを地面にばらまくことなく容器内に収納できる。
【００４２】
さらに、ウインチ装置３９で巻き上げられたワイヤー４５を地面にばらまくことなく容器３内に収納できるため、地面にワイヤー４５が触れることはない。したがって、ワイヤーが汚れ難く、ワイヤー使用後の汚れの除去作業などを無くすことができる。
【００４３】
ところで、送電線の送電鉄塔への延線などに用いるようなウインチ装置と巻き取りドラムなどを組み合わせた装置を用いて、ワイヤーを巻き取りドラムに巻き取ることが考えられる。このような装置は、通常、ダンプなどの大型の運搬車輌で運搬する必要がある大きさの装置となっている。ところが、弛度調整や送電鉄塔への荷吊りなどといった作業は、個々の送電鉄塔の設置場所で行う必要があるが、送電鉄塔は、山岳部など様々な設置場所に設置されているため、ダンプなどの大型の運搬車輌が入れない場合がある。このため、ダンプなどの大型の運搬車輌で運搬する必要があるこのような装置では、使用が制限されてしまう。
【００４４】
これに対して、本実施形態のワイヤー収納装置１は、従来から弛度調整や送電鉄塔への荷吊りなどといった作業で用いられていた自走するウインチ装置３９などと組み合わせて用いるものである。ウインチ装置３９は、比較的小型で、またクローラを備えているため、山岳部など様々な送電鉄塔の設置場所で使用できる。さらに、ワイヤー収納装置１は、ウインチ装置３９の尻手取取装置４９によるワイヤー４５の送り出しを利用するものであり、ワイヤー収納装置１自体には動力などを必要とせず、軽量で運搬が容易である。したがって、本実施形態のワイヤー収納装置１は、送電鉄塔の設置場所に関係なく使用できる。
【００４５】
さらに、巻き取りドラムにワイヤーを巻き取る場合、ワイヤーのよりなどによって生じる曲がりの癖や変形などによって、巻に偏りが生じたり、不均一な遊びが生じたりして乱巻状態となる。乱巻状態となると、再使用のために再度別のドラムに巻き直す必要が生じ、また、乱巻を防ぐための機構を巻き取りドラムを備えた装置に設けると、装置の構成が複雑になる上、装置が大型化してしまう可能性がある。
【００４６】
これに対して、本実施形態のワイヤー収納装置１では、ワイヤー４５を、ワイヤーを収納する容器３に収納するだけであり、再使用のための巻き直しや束ね直しなどの作業が必要なく、容器３からワイヤー４５を直接再使用できる。
【００４７】
さらに、本実施形態のワイヤー収納装置１では、案内管路７が、管路を湾曲または曲折可能な第２湾曲可能部２３及び第３湾曲可能部２７を有しているため、案内管路７は、所望の方向に曲げて配管できる。したがって、ウインチ装置に対するワイヤー収納装置の設置位置の制限を低減できる。ただし、ウインチ装置に対するワイヤー収納装置の設置位置が制限されても構わない場合などは、管路を湾曲または曲折可能な第２湾曲可能部２３及び第３湾曲可能部２７などを有していない構成、つまり案内管路全体が管体で形成された構成にすることもできる。また、管路を湾曲または曲折可能な湾曲可能部を設ける数は、必要に応じて適宜選択できる。
【００４８】
さらに、本実施形態のワイヤー収納装置１では、揺動管路５は、一端から他端にかけてスリット１５が形成された内管５ａと、内管５ａのスリットを覆う外管５ｂとを有し、案内管路７の第１管体部２１及び第２管体部２５は、一端から他端にかけてスリット３１、３３が形成された内管２１ａ、２５ａと、内管２１ａ、２５ａのスリット３１、３３を覆う外管２１ｂ、２５ｂとを有している。そして、案内管路７の第１湾曲可能部１９、第２湾曲可能部２３、そして、第３湾曲可能部２７は、コイル状の部材で形成されている。このため、揺動管路５内や案内管路７内に先端からでなくてもワイヤー４５をセットできる。ただし、ワイヤー４５を先端からしか各管路に挿入しない場合などは、揺動管路や案内管路の管体部にスリットを形成する必要なく、また、湾曲可能部も湾曲可能な管路を形成できればコイル状の部材を用いて形成する必要はない。
【００４９】
加えて、揺動管路５の外管５ｂ及び案内管路７の第１管体部２１及び第２管体部２５の外管２１ｂ、２５ｂは、一端から他端にかけてスリット１５、３１、３３が形成された構成となっているため、各内管５ａ、２１ａ、２５ａと各外管５ｂ、２１ｂ、２５ｂを各々相対的に回転させることで、揺動管路及び案内管路にスリットからワイヤーを挿入可能な状態にしたり、内管のスリットを覆った状態に容易にできる。ただし、ワイヤーを挿入可能な状態にしたり、内管のスリットを覆った状態にするために、内管と外管とを相対的に回転させる構成とせず、内管に外管を着脱する構成などにすることもできる。
【００５０】
また、本実施形態では、容器３は円筒状としているが、ワイヤーを収納する容器の形状は筒状であれば様々な形状にすることができる。ただし、ワイヤーを収納する容器内にワイヤーをより確実に収納する上で、ワイヤーを収納する容器は、８角形以上の多角形の筒状である構成が望ましく、円筒状である構成がさらに望ましい。
【００５１】
また、本実施形態では、容器３の側壁内面に網状部材３８を取り付ける構成としているが、容器３自体の網目を小さくし、網状部材３８などを取り付けない構成にすることもできる。ただし、網状部材３８を取り付ける構成とすれば、支柱などが固定された容器の網目を大きくできることで、装置を軽量化できる。また、支柱などが固定された容器は、網状でないものを用いることもできる。ただし、網状の部材で形成されている容器を用いれば、装置を軽量化できる。
【００５２】
また、本実施形態では、揺動管路５の下端部には、他の部分よりも大きな径を有する先端リング１７が設けられている。しかし、揺動管路の直径がワイヤーを収納する容器の網目に引っかかり難い大きさである場合や、容器が網状でない場合などは、先端リングを設ける必要はない。さらに、揺動管路５の他の部分よりも大きな径を有する先端リング１７を揺動管路５の下端部に設けるのに代えて、揺動管路の下端部に、この下端部の中心軸を回転軸として回転可能な先端リングを設けた構成とすることもできる。
【００５３】
また、本実施形態では、吊りワイヤー１３を用いて案内管路７のリング部１０に揺動管路５を吊すことで、揺動管路５を揺動可能に支持しているが、揺動管路５は、上端部を支点として揺動できれば、様々な方法で支持することができる。例えば、吊りワイヤー１３に代えて鎖などを用いることもできるし、吊りワイヤーや鎖などで案内管路７のリング部１０に揺動管路５を吊さずに、案内管路の端部と揺動管路の上端部とを自在継ぎ手のような構造の部材を介して連結した構造にすることもできる。
【００５４】
このように、本発明を適用してなるワイヤー収納装置は、本実施形態の構成に限らず、様々な構成にできる。
【００５５】
【発明の効果】
本発明によれば、ウインチ装置で巻き上げられたワイヤーを地面にばらまくことなく容器内に収納できる。
【図面の簡単な説明】
【図１】本発明を適用してなるワイヤー収納装置の一実施形態の概略構成を示す正面図である。
【図２】本発明を適用してなるワイヤー収納装置をウインチ装置に連結してワイヤーを容器内に収納している状態を示す模式図である。
【図３】本発明を適用してなるワイヤー収納装置をウインチ装置に連結してワイヤーを容器内に収納している状態を、ウインチ装置を別の方向から見た状態で示す模式図である。
【符号の説明】
１  ワイヤー収納装置
３  容器
５  揺動管路
７  案内管路
９  支柱
２９  案内管路の連結部
【図１】
2004238115.tif 000003
【図２】
2004238115.tif 000004
【図３】
2004238115.tif 000005